(57)【特許請求の範囲】
【請求項１】
パチンコ機の遊技盤表面に遊技部を区画し、発射された打球を遊技部内に誘導するパチンコ機の誘導レールにおいて、
前記誘導レールは、ステンレス製の帯状の本体レールと該本体レールを遊技盤に取り付けるための複数の釘部材とにより構成され、
前記釘部材は、遊技盤に開設した挿着孔に圧入可能な外径を有すると共に、先端部に縮幅する案内部を有し、且つ抜けを防止するための複数の係止片を備え、
前記本体レールと前記複数の釘部材の頭部とを、前記本体レールの下縁近傍に開設した通孔を通して回り込む合成樹脂或は合成ゴムにより一体に構成し、
遊技盤の表面側に突出する前記頭部は、前記本体レールの長手方向に拡幅したパチンコ球が当接しない傾斜した形状であることを特徴とするパチンコ機の誘導レール。
【発明の詳細な説明】
【０００１】
【発明の属する技術分野】
この発明は、パチンコ機において遊技盤の表面に遊技部を区画するように渦巻状に敷設されるパチンコ機の誘導レールに関するものである。
【０００２】
【従来の技術】
従来のパチンコ機における誘導レールに関連するものとしては、例えば実公昭６１−３６３００号公報のパチンコ機におけるレールの取付用釘が知られている。このレール取付用釘は、厚肉線状の金属材料からなる釘部材を長さ方向の略中央部でＵ字状に折り曲げて割りピン状となし、当該釘部材の先端をやゝ先細に形成すると共に、遊技盤への挿入方向に沿って側面に小突片を一体に形成してなる。
【０００３】
【発明が解決しようとする課題】
上記公報に記載された従来のレール取付用釘にあっては、遊技盤上に突出している釘部材に弾発したパチンコ球が衝突することがあるため、遊技者が狙った位置にパチンコ球が到達しないという、所謂むら飛びといわれる不具合が発生することがあった。
本発明は上記の問題点に鑑み提案されたもので、遊技盤上の遊技者が狙った位置にパチンコ球が到達し易い、打球の安定した誘導レールを提供することを目的とする。
【０００４】
【課題を解決するための手段】
上記目的を達成するため本発明は、パチンコ機の遊技盤表面に遊技部を区画し、発射された打球を遊技部内に誘導するパチンコ機の誘導レールにおいて、前記誘導レールは、ステンレス製の帯状の本体レールと該本体レールを遊技盤に取り付けるための複数の釘部材とにより構成され、前記釘部材は、遊技盤に開設した挿着孔に圧入可能な外径を有すると共に、先端部に縮幅する案内部を有し、且つ抜けを防止するための複数の係止片を備え、前記本体レールと前記複数の釘部材の頭部とを、前記本体レールの下縁近傍に開設した通孔を通して回り込む合成樹脂或は合成ゴムにより一体に構成し、遊技盤の表面側に突出する前記頭部は、前記本体レールの長手方向に拡幅したパチンコ球が当接しない傾斜した形状としたものである。
【０００５】
【発明の実施の形態】
以下、本発明を図面の実施形態について説明すると、図１は遊技盤１の正面図であって、遊技盤１は、ベニヤ合板の表面に種々の意匠を施したセル板２を貼設して構成してあり、後述する誘導レール３をほゞ円形に取り付けて遊技部４を形成する。この遊技盤１表面の誘導レール３で囲まれた遊技部４には、変動入賞装置５等の種々の役物や始動入賞具６、一般入賞具７、或は風車８等を配設し、最下位置にアウト口９を配設する。また、遊技部４の外側には、飾り部材１０を配設すると共に、装飾レンズを設けて賞球表示灯１１や完了表示灯１２を構成する。
【０００６】
誘導レール３は、終端が跳ねゴム１３の位置までほゞ半円形に延在する外レール１４と、基端が跳ねゴム１３の所に位置し、アウト口９の外側に接すると共に更に上記外レール１４との間に球が通過可能な間隔を設けて外レール１４の内側に沿って延在する内レール１５とからなる。尚、外レール１４と内レール１５とは、跳ねゴム１３の所で途切れていてもよいし、連続して形成してあってもよい。また、上記外レール１４及び内レール１５は、一般に板厚０．６〜０．８ｍｍ程度のステンレス板からなる。
【０００７】
上記のような外レール１４及び内レール１５を形成する誘導レール３は、帯状の本体レール１６と、遊技盤１に取り付けるための複数の釘部材１７とを備える。尚、この誘導レール３は、例えば、ステンレス製の板材をプレス加工によって形成する。また、本体レール１６の端部には、釘を通して止着するための筒状の止着部を形成してもよい。
【０００８】
そして、本体レール１６の下縁近傍、即ち遊技盤１に当接する側の縁部から若干上がった位置には、適宜間隔で複数の結合手段１８を形成すると共に、複数の釘部材１７を一体に設ける。
【０００９】
上記結合手段１８は、例えば、図３に示すように、本体レール１６の下縁近傍に開設した通孔１８ａであって、この通孔１８ａを通して釘部材１７を構成する合成樹脂或は合成ゴム等が本体レール１６の前後に回り込み、本体レール１６と釘部材１７との分離を防止する。また、上記通孔１８ａに代えて爪片を切り起こすようにしてもよいし、凹凸を設けてもよい。
【００１０】
本体レール１６と一体に形成する釘部材１７は、遊技盤１に開設した挿着孔１９に圧入可能な外径Ｄを有すると共に、遊技盤１に開設した挿着孔１９に挿入し易くするため、先端に向けて縮幅する案内部２０が設けてある。
【００１１】
また、上記釘部材１７には、抜けを防止するための係止片２１を設ける。この係止片２１は、例えば、図４に示すように、釘部材１７の周面に放射状に設けた複数の突起２２であって、該突起２２は釘部材１７の長手方向に沿って設けてある。従って、釘部材１７を挿着孔１９に圧入すると、各突起２２が挿着孔１９の内壁に圧接して摩擦抵抗が増大して抜け防止を達成する。
【００１２】
また、上記係止片２１は、図６に示すように、釘部材１７の外周面にリング状に設けてもよい。このようなリング状の係止片２１には、先端側に向って縮径するテーパー面２３と外周面にほゞ直交或は鋭角に交差する係止面２４を有している。このような係止片２１によるときは、挿着孔１９に挿着した釘部材１７に引き抜き方向の力が作用すると、係止片２１が挿着孔１９の壁に密着するので、当該釘部材１７の抜けを防止することができる。
【００１３】
更に、釘部材１７は、挿着孔１９への圧入が容易なように、割溝２５を設けることもできる。即ち、図６に破線で示すように、釘部材１７の直径方向に向けて先端から基部に架けて切込溝を形成する。或は、釘部材１７の中心に空胴を設けてもよい。
【００１４】
上記のような割溝２５を形成したときには、挿着孔１９に圧入するときに、釘部材１７が縮径方向に弾性変形して挿入が容易となる。尚、割溝２５は直径方向ばかりではなく、放射状に設けてもよい。
【００１５】
本発明において、釘部材１７と本体レール１６とを接合する頭部２６は、パチンコ球Ｐが当接しないような形状に形成する。例えば図２に示すように、傾斜状とする。また、本体レール１６と釘部材１７との接触面積は大きな方が強度的に有利であるので、例えば図７に示すように、頭部２６を本体レール１６の長手方向に拡幅させてもよい。この場合も、パチンコ球Ｐが頭部２６に接触しない形状とする。このため、遊技者が弾発した打球は、釘部材１７の頭部２６に衝突することがなく、球飛びに影響を受けることがない。従って、本発明によれば、安定した球飛びを実現可能である。
【００１６】
更に、図８に示すように、鉤状の係止片２１を先端付近、即ち案内部２０の後端に設けてもよい。このような係止片２１によれば、当該係止片２１を遊技盤１の裏面に係止させることができ、これにより抜け止めを達成する。
【００１７】
上記のように構成した本発明に係る誘導レール３を、遊技盤１に取り付けるには、遊技盤１に予め開設した挿着孔１９の入口に、釘部材１７の先端に形成した案内部２０を臨ませて、押し込んだり、叩き込んだりして装着すればよい。装着に際して、本発明においては、先細に案内部２０が形成してあるので、釘部材１７が挿着孔１９の中央に案内されて、曲ったり、ずれたりすることがない。従って、曲りによるむらの発生がなく、均一な製品の供給が可能である。尚、装着は、誘導レール３を治具で挟着しながら圧入するレールの自動装着装置等の使用も可能である。
【００１８】
また、本発明に係る誘導レール３には、係止片２１が設けてあるので、釘部材１７を抜く方向の力が加わっても、係止片２１が挿着孔１９の内壁に食い込んで、抜け去ることがない。
【００１９】
尚、上記のような誘導レール３は、遊技盤１の表面に配設する飾り部材１０に、レール収納部を設け、このレール収納部の側壁部に本体レール１６を沿わせるように配置してもよい。この場合には、球がガラスに当接した状態で、本体レールに当接可能なように上記収納部を設定すれば、球が飾り部材１０の収納突部に当接することがなく、飾り部材によって球の動きが影響されない。
【００２０】
そして、本発明に係る誘導レール３は、合成樹脂製の遊技盤１に対応することができる。即ち、遊技盤１を合成樹脂で構成する場合には、挿着孔１９の形状を自由に設定可能であるので、この挿着孔１９に対応する形状の釘部材１７を本体レール１６にインサート成型することができる。
【００２１】
尚、図面に示す挿着孔１９は、遊技盤１を貫通した状態に開設してあるが、遊技盤１の途中で止まる有底孔であってもよい。
【００２２】
以上本発明を図面の実施形態について説明したが、本発明は上記した実施形態に限定されるものではなく、特許請求の範囲に記載した構成を変更しない限り適宜に実施できる。
【００２３】
【発明の効果】
以上要するに本発明は、パチンコ機の遊技盤表面に遊技部を区画し、発射された打球を遊技部内に誘導するパチンコ機の誘導レールにおいて、前記誘導レールは、ステンレス製の帯状の本体レールと該本体レールを遊技盤に取り付けるための複数の釘部材とにより構成され、前記釘部材は、遊技盤に開設した挿着孔に圧入可能な外径を有すると共に、先端部に縮幅する案内部を有し、且つ抜けを防止するための複数の係止片を備え、前記本体レールと前記複数の釘部材の頭部とを、前記本体レールの下縁近傍に開設した通孔を通して回り込む合成樹脂或は合成ゴムにより一体に構成し、遊技盤の表面側に突出する前記頭部は、前記本体レールの長手方向に拡幅したパチンコ球が当接しない傾斜した形状としたので、遊技盤表面に遊技部を区画すると共に、当該遊技部に打球を誘導する本体レールの釘部材に打球が衝突することがなく、釘部材は球飛びに影響を与えることがないので、遊技者は球飛びの安定した狙い通りの打球を遊技部に弾発することが可能になる。
【図面の簡単な説明】
【図１】パチンコ機の遊技盤の概略正面図である。
【図２】本発明に係る誘導レールの断面図である。
【図３】図２のＡ−Ａ線断面図である。
【図４】図２のＢ−Ｂ線断面図である。
【図５】本発明に係る誘導レールの斜視図である。
【図６】釘部材の他の実施形態を示す斜視図である。
【図７】釘部材の頭部の他の実施形態を示す斜視図である。
【図８】釘部材の係止片の他の実施形態を示す断面図である。
【符号の説明】
１  遊技盤
３  誘導レール
４  遊技部
１６  本体レール
１７  釘部材
１８  結合手段
１９  挿着孔
２０  案内部
２１  係止片
２６  頭部
【図１】
0003547679.tif 000002
【図２】
0003547679.tif 000003
【図３】
0003547679.tif 000004
【図４】
0003547679.tif 000005
【図５】
0003547679.tif 000006
【図６】
0003547679.tif 000007
【図７】
0003547679.tif 000008
【図８】
0003547679.tif 000009